(57)【要約】【課題】  チャンネル移行時などにも最適なアンテナを設定することができ、また、複数帯域において周辺レベル測定を行う際に各帯域の周辺レベル測定が完了するタイミングに大きなずれが生ずることを防止できるようにする。【解決手段】  制御部２０は、周辺レベルの測定を複数のアンテナを切替えてそれぞれで行い、各アンテナにおける測定結果のうち大きい方のアンテナ情報を記憶しておき、チャンネル移行時には記憶したアンテナを使用する。また、パケット通信時に、周辺レベル測定タイミングと送信スロットの送信タイミングとが重なる場合には、送信を行う帯域と同じ帯域のみで周辺レベル測定を行い、周辺レベル測定タイミングと送信タイミングとが重ならない場合には、複数の帯域において周辺レベル測定を行い、この際に各帯域における周辺レベル測定が完了していないチャンネル数に基づいて周辺レベル測定を行う帯域を動的に変更する。【選択図】  図１
2006165669.tif 000002
【特許請求の範囲】
【請求項１】
複数の帯域に対応し、時分割多元接続方式によって基地局との間で送受信を行う移動無線通信装置であって、
送受信を行う複数のアンテナと、前記アンテナの切替及び通信処理を行う通信処理部とを備え、
前記通信処理部は、
前記複数のアンテナのうち受信レベルが高い方のアンテナを受信用アンテナとして選択する受信アンテナ選択手段と、
送信スロットの直前の受信スロットで選択されているアンテナを送信用アンテナとして設定する送信アンテナ設定手段と、
周辺に位置する基地局から到来する電波の受信レベルを測定する周辺レベル測定を、送受信用のチャンネル毎に前記複数のアンテナのそれぞれで行い、各アンテナにおける測定結果のうち大きい方の値を該当するアンテナ情報と対応付けて各チャンネル毎に記憶する周辺レベル測定手段と、
送信と受信の少なくとも一方のチャンネルを切替えるチャンネル移行時に使用するアンテナを、前記周辺レベル測定の測定結果の大きい方のアンテナに設定するチャンネル移行時使用アンテナ設定手段とを有し、
前記周辺レベル測定手段は、パケット通信時に、前記周辺レベル測定を行う周辺レベル測定タイミングとパケットの送信を行う送信スロットの送信タイミングとが重なる場合には、送信を行う帯域と同じ帯域のみで前記周辺レベル測定を行い、前記周辺レベル測定タイミングと前記送信タイミングとが重ならない場合には、複数の帯域において前記周辺レベル測定を行い、この際に各帯域における前記周辺レベル測定が完了していないチャンネル数に基づいて前記周辺レベル測定を行う帯域を動的に変更する移動無線通信装置。
【請求項２】
請求項１に記載の移動無線通信装置であって、
前記周辺レベル測定手段は、受信スロットの次のスロットが空きスロットの場合に前記受信スロットの次の空きスロットにおいて前記周辺レベル測定を行い、さらにこの空きスロットの次のスロットが空きスロットの場合に前記空きスロットの次の空きスロットにおいて前記周辺レベル測定を行う移動無線通信装置。
【発明の詳細な説明】
【技術分野】
【０００１】
本発明は、時分割多元接続（ＴＤＭＡ）方式を採用し、複数帯域において送受信可能なマルチバンド対応のものであって、非対称パケット通信が可能な携帯電話機等の移動無線通信装置に関する。
【背景技術】
【０００２】
移動体通信においては、無線基地局を中心とする無線ゾーンを複数隣接して配置し、無線通信網のサービスエリアを構成している。この無線通信網においては、携帯電話機等の移動局は、自局の移動に伴って通信を行う無線ゾーンを変えることになる。この場合、移動局は無線ゾーンのスムーズな移行を果たし、安定した通信を保つ必要がある。そこで従来から、移動局は、通信中の基地局以外の周辺ゾーンの基地局から送信される電波の受信レベル（周辺レベル）を検出し、検出した周辺レベルと通信中の基地局から送信される電波の受信レベルとを比較して、より受信レベルの高いゾーン及びチャンネルに移行できるように常に準備を行っている。
【０００３】
特許文献１には、時分割多重方式に基づいて無線基地局と通信を行い、通信を行っている無線基地局の周辺の無線基地局から送信される電波のレベル値に応じて、通信を行っている無線基地局を切替える移動局であって、時分割多重されたフレーム内の空きスロット区間中に複数の帯域を切替える切替手段と、電波のレベル値を複数の帯域についてそれぞれ検出する検出手段と、検出された電波のレベル値を所定間隔おきに読み込む読み込み手段と、読み込み手段が読み込むまでの間、電波のレベル値を保持する保持手段とを備えるとともに、電波を送受信する複数のアンテナを備え、切替手段は、複数の帯域を切替える際に、複数のアンテナのうち受信する電波のレベル値が最も強いものを選択するようにした移動局が開示されている。
【０００４】
また、周辺に位置する各基地局から到来する電波の電界強度のレベル測定を複数のアンテナのそれぞれで行い、各アンテナにおける測定結果のうち大きい方の値を記憶するようにした携帯電話機が提案されている（特許文献２参照）。
【０００５】
また、周辺ゾーンキャリア測定を行うタイミングと送信タイミングが重なる場合と重ならない場合のそれぞれに応じて、適切に周辺ゾーンキャリア受信レベル測定を行うマルチバンド対応無線移動機の周辺ゾーン監視用キャリア測定方法が提案されている。この周辺ゾーン監視用キャリア測定方法では、周辺ゾーンモニタ用スロットと送信可能スロットとが重なるタイミングでは第１の帯域（８００ＭＨｚ帯）のレベル測定を行い、周辺ゾーンモニタ用スロットと送信不可もしくは送信不要スロットが重なるタイミングでは第２の帯域（１．５ＧＨｚ帯）を優先してレベル測定を行い、その後第１の帯域（８００ＭＨｚ帯）のレベル測定を行うようにしている（特許文献３参照）。
【０００６】
また、受信スロット数と送信スロット数とが異なる非対称パケット通信を行う際に、自局送信スロット位置により、同期ワード検出スロットと、周辺ゾーン監視用キャリア受信レベル測定スロットと、ダイバーシチ処理スロットとを移動機が判断して動的に切り換え、割り当てたスロット内の非データ部で処理を行い連続スロットの受信を妨げないようにする無線移動機の制御方法及び制御装置が提案されている（特許文献４参照）。
【０００７】
また、１つのサブフレームを複数のスロットに分割し、複数のスロットの各々に、プリアンブル、同期ワード、カラーコード、制御信号を含ませて送信されてくる信号を受信するデータ受信装置であって、複数のスロットのうち自局宛てのスロットが複数個連続するサブフレームを受信する期間において、受信したサブフレームの中にある複数の同期ワードのうち、同期獲得を必要としない同期ワードのタイミングまたは同期ワードとカラーコードのタイミングを用いて、複数のアンテナの受信電界強度を比較し、電界強度のより大きい方のアンテナを選択するように構成したデータ受信装置は知られている（特許文献５参照）。
【０００８】
また、複数のアンテナを有する時分割多元接続の携帯無線装置において、複数のアンテナの中から送信に用いるアンテナを送信スロット毎に選定するアンテナ選定部と、アンテナ選定部の選定結果に基づいて、送信スロット毎に送信アンテナを切り換えて送信アンテナに送信信号を出力する切換送信部とを備えた携帯無線装置は知られており、さらに、アンテナは送受信が可能な送受信アンテナであり、アンテナ選定部は受信時に空間ダイバーシチによって決定された受信アンテナを送信アンテナとして選定することも知られている（特許文献６参照）。
【０００９】
【特許文献１】特開２００３−２７４４３９号公報
【特許文献２】特開２００２−３１４４７４号公報
【特許文献３】特開２００３−１８０８７号公報
【特許文献４】特開２００３−７８９４９号公報
【特許文献５】特許第３３１９６８８号公報
【特許文献６】特開２００２−１８５３７２号公報
【発明の開示】
【発明が解決しようとする課題】
【００１０】
上記従来の移動無線通信装置等では、周辺レベルの測定を複数のアンテナのそれぞれについて行い、各アンテナにおける測定結果のうち大きい方の値を記憶させている。しかしながら、測定結果が大きい方のアンテナがいずれのアンテナであったかまで記憶させていないため、チャンネル移行時（通信する無線ゾーンの切替え、通信帯域の切替え、帯域内での通信周波数の切替え等の送信と受信の少なくとも一方のチャンネルの切替え動作時）などに、選択されるアンテナが最適なものではないことがある。
【００１１】
また、特許文献３に記載のように、周辺レベルを測定するスロットと送信スロットとが重なる場合は第１の帯域（８００ＭＨｚ帯）の周辺レベル測定を行い、重ならない場合は第２の帯域（１．５ＧＨｚ帯）を優先してレベル測定を行い、その後第１の帯域（８００ＭＨｚ帯）のレベル測定を行うようにした場合、各帯域の周辺レベル測定が完了するタイミングに大きなずれが生ずることがある。
【００１２】
本発明は、上記事情に鑑みてなされたもので、チャンネル移行時などにも最適なアンテナを設定することができ、また、複数帯域において周辺レベル測定を行う際に各帯域の周辺レベル測定が完了するタイミングに大きなずれが生ずることを防止できる移動無線通信装置を提供することを目的とする。
【課題を解決するための手段】
【００１３】
本発明の移動無線通信装置は、複数の帯域に対応し、時分割多元接続方式によって基地局との間で送受信を行う移動無線通信装置であって、送受信を行う複数のアンテナと、前記アンテナの切替え及び通信処理を行う通信処理部とを備え、前記通信処理部は、前記複数のアンテナのうち受信レベルが高い方のアンテナを受信用アンテナとして選択する受信アンテナ選択手段と、送信スロットの直前の受信スロットで選択されているアンテナを送信用アンテナとして設定する送信アンテナ設定手段と、周辺に位置する基地局から到来する電波の受信レベルを測定する周辺レベル測定を、送受信用のチャンネル毎に前記複数のアンテナのそれぞれで行い、各アンテナにおける測定結果のうち大きい方の値を該当するアンテナ情報と対応付けて各チャンネル毎に記憶する周辺レベル測定手段と、送信と受信の少なくとも一方のチャンネルを切替えるチャンネル移行時に使用するアンテナを、前記周辺レベル測定の測定結果の大きい方のアンテナに設定するチャンネル移行時使用アンテナ設定手段とを有し、前記周辺レベル測定手段は、パケット通信時に、前記周辺レベル測定を行う周辺レベル測定タイミングとパケットの送信を行う送信スロットの送信タイミングとが重なる場合には、送信を行う帯域と同じ帯域のみで前記周辺レベル測定を行い、前記周辺レベル測定タイミングと前記送信タイミングとが重ならない場合には、複数の帯域において前記周辺レベル測定を行い、この際に各帯域における前記周辺レベル測定が完了していないチャンネル数に基づいて前記周辺レベル測定を行う帯域を動的に変更するものである。
【００１４】
これにより、複数のアンテナのうち受信レベルが高い方のアンテナを受信用アンテナとして選択することができ、また、送信スロットの直前の受信スロットで選択されているアンテナを送信用アンテナとして設定することによって、チャンネル移行時などにも最適なアンテナを設定することが可能である。また、パケット通信時に、周辺レベル測定タイミングと送信タイミングとが重なる場合には、送信を行う帯域と同じ帯域のみで周辺レベル測定を行い、周辺レベル測定タイミングと送信タイミングとが重ならない場合には、複数の帯域において周辺レベル測定を行い、この際に各帯域における周辺レベル測定が完了していないチャンネル数に基づいて周辺レベル測定を行う帯域を動的に変更することによって、各帯域の周辺レベル測定が完了するタイミングに大きなずれが生ずることがないようにすることが可能である。
【００１５】
また、本発明の一態様として、上記の移動無線通信装置であって、前記周辺レベル測定手段は、受信スロットの次のスロットが空きスロットの場合に前記受信スロットの次の空きスロットにおいて前記周辺レベル測定を行い、さらにこの空きスロットの次のスロットが空きスロットの場合に前記空きスロットの次の空きスロットにおいて前記周辺レベル測定を行うものとする。
【００１６】
これにより、時間を空けて複数のタイミングで周辺レベル測定を行うことができ、時間ダイバーシチの効果が得られるため、より精度の高い周辺レベルの測定が可能である。
【発明の効果】
【００１７】
本発明によれば、移動無線通信装置により通信を行う際に、チャンネル移行時などにも最適なアンテナを設定することができ、また、複数帯域において周辺レベル測定を行う際に各帯域の周辺レベル測定が完了するタイミングに大きなずれが生ずることを防止することができる。
【発明を実施するための最良の形態】
【００１８】
図１は本発明の実施形態に係る移動無線通信装置の要部構成を示す図である。移動無線通信装置は、送受信兼用の第１のアンテナ１と、送受信兼用の第２のアンテナ２と、前記第１及び第２のアンテナ１，２の切替及び通信処理を行う通信処理部とを備えて構成される。通信処理部は、送信アンテナ切替部３と、受信アンテナ切替部４と、送信帯域切替部５と、受信帯域切替部６と、第１の帯域（８００ＭＨｚ帯）の送信部７と、第２の帯域（１．５ＧＨｚ帯）の送信部８と、第１の帯域（８００ＭＨｚ帯）の受信部９と、第２の帯域（１．５ＧＨｚ帯）の受信部１０と、変調部１１と、復調部１２と、Ａ／Ｄ変換部１３と、制御部２０とを有している。各受信部９，１０は、図示しない受信レベル（受信電界強度）の検出部をそれぞれ備えている。各受信部９，１０の受信レベル検出部から出力される各受信レベルに対応した電圧信号は、Ａ／Ｄ部１３で受信レベルに対応したデジタルデータに変換されて制御部２０へ供給される。
【００１９】
送信アンテナ切替部３は、制御部２０から供給される送信アンテナ切替制御信号３ａに基づいて送信に用いるアンテナの切替えを行う。受信アンテナ切替部４は、制御部２０から供給される受信アンテナ切替制御信号４ａに基づいて受信に用いるアンテナの切替えを行う。送信帯域切替部５は、制御部２０から供給される送信帯域切替制御信号５ａに基づいて送信帯域の切替えを行う。受信帯域切替部６は、制御部２０から供給される受信帯域切替制御信号６ａに基づいて受信帯域の切替えを行う。
【００２０】
８００ＭＨｚ帯の送信部７は、制御部２０から供給される送信チャンネル（送信周波数）指定情報７ａに基づいて送信チャンネル（送信周波数）の設定を行う。１．５ＧＨｚ帯の送信部８は、制御部２０から供給される送信チャンネル（送信周波数）指定情報８ａに基づいて送信チャンネル（送信周波数）の設定を行う。８００ＭＨｚ帯の受信部９は、制御部２０から供給される受信チャンネル（受信周波数）指定情報９ａに基づいて受信チャンネル（受信周波数）の設定を行う。１．５ＧＨｚ帯の受信部１０は、制御部２０から供給される受信チャンネル（受信周波数）指定情報１０ａに基づいて受信チャンネル（受信周波数）の設定を行う。
【００２１】
制御部２０は、送受信の制御等を含めてこの移動無線通信装置の全体動作を制御する主制御手段（図示しない）を有するとともに、受信アンテナ選択制御手段２１と、送信アンテナ選択制御手段２２と、周辺レベル測定制御手段２３と、チャンネル移行時使用アンテナ設定制御手段２４とを有している。
【００２２】
ここで、本実施形態の移動無線通信装置は、複数のアンテナのうち受信レベルが高い方のアンテナを受信用アンテナとして選択する受信アンテナ選択手段の機能を有し、この受信アンテナ選択手段は、受信アンテナ切替部４、受信帯域切替部６、各受信部９，１０、Ａ／Ｄ変換部１３、及び受信アンテナ選択制御手段２１によって実現される。また、送信スロットの直前の受信スロットで選択されているアンテナを送信用アンテナとして設定する送信アンテナ設定手段の機能を有し、この送信アンテナ設定手段は、送信アンテナ切替部３及び送信アンテナ選択制御手段２２によって実現される。
【００２３】
また、本実施形態の移動無線通信装置は、周辺レベル測定（周辺に位置する基地局から到来する電波の受信レベルの測定）を、送受信用のチャンネル毎に複数のアンテナのそれぞれで行い、各アンテナにおける測定結果のうち大きい方の値を該当するアンテナ情報と対応付けて各チャンネル毎に記憶する周辺レベル測定手段の機能を有し、この周辺レベル測定手段は、受信アンテナ切替部４、受信帯域切替部６、各受信部９，１０、Ａ／Ｄ変換部１３、及び周辺レベル測定制御手段２３によって実現される。また、チャンネル移行時（通信する無線ゾーンの切替え、通信帯域の切替え、帯域内での通信周波数の切替え等の送信と受信の少なくとも一方のチャンネルの切替え動作時）に使用するアンテナを、周辺レベルの測定結果の大きい方のアンテナに設定するチャンネル移行時使用アンテナ設定手段の機能を有し、このチャンネル移行時使用アンテナ設定手段は、受信アンテナ切替部４及びチャンネル移行時使用アンテナ設定制御手段２４によって実現される。
【００２４】
図２は本実施形態で用いる無線通信における受信フレームの構成及び受信スロットの構成を示す図である。図２（ａ）に示すように、１フレームは３つのスロットから構成されている。図２（ｂ）に示すように、制御チャンネル・パケット通信チャンネルにおける各スロットは、バースト過渡応答時間Ｒ（４ビット）、プリアンブルＰ（２ビット）、情報ビットＣＡＣ（１１２ビット）、受信するデータのタイミングを得るための特定のビットパターンを有する同期ワードＳＷ（２０ビット）、異なるゾーンからの同一周波数の無線信号の干渉を検出するためのカラーコードＣＣ（８ビット）、情報ビット（１１２ビット）、複数の移動無線通信装置（移動機等）からのランダム送信を制御し、それらの信号に対する受信状態を知らせるための衝突制御ビットＥ（２２ビット）を有して構成されている。図２（ｃ）に示すように、通信チャンネルにおける各スロットは、バースト過渡応答時間Ｒ（４ビット）、プリアンブルＰ（２ビット）、データビットＴＣＨ（１１２ビット）、受信するデータのタイミングを得るための特定のビットパターンを有する同期ワードＳＷ（２０ビット）、異なるゾーンからの同一周波数の無線信号の干渉を検出するためのカラーコードＣＣ（８ビット）、ＡＣＣＨであるかＲＣＨであるかを判別するためのスチールフラグＳＦ（１ビット）、通信中の制御データを送出するためのＡＣＣＨ（１５ビット）、移動機の送信電力を制御するためのＲＣＨ（１５ビット）を有して構成される。なお、データビットＴＣＨはＡＣＣＨとして使用されることもある。
【００２５】
本実施形態の移動無線通信装置は、受信するデータのタイミングを得るために１フレームの中のいずれか１つのスロットを必ず受信している。このスロットを同期ワード受信が必要な受信スロット（同期ワード受信スロット）と称する。また、基地局側で特定の移動無線通信装置宛てに２スロットまたは３スロット連続してパケットを送信し、移動無線通信装置側では２スロットまたは３スロット連続してパケットを受信する非対称パケット通信を行うことで、高速パケット通信が可能となる。以下では、非対称パケット通信を行う際の動作について述べる。
【００２６】
図３は本実施形態における制御部の受信時の処理の概要を示すフローチャートである。制御部２０は、ステップＳ１で同期ワード受信が必要なスロットを受信すると、ステップＳ２で次スロットは自局受信をするか否か判断する。次スロットで自局受信する場合は、同期ワード（ＳＷ）のタイミングで受信アンテナ切替処理（１）を行う。
【００２７】
図４は本実施形態における受信アンテナ切替処理（１）のフローチャートである。制御部２０は、同期ワード（ＳＷ）のタイミングで、自局受信のチャンネルで各アンテナ１，２の受信レベルを順次測定し（ステップＳ２１）、受信レベルが高い方のアンテナを判定する（ステップＳ２２）。アンテナ１の方が受信レベルが高い場合は、同期ワード（ＳＷ）が終るまでに受信アンテナをアンテナ１に切替える（ステップＳ２３）。アンテナ２の方が受信レベルが高い場合は、同期ワード（ＳＷ）が終るまでに受信アンテナをアンテナ２に切替える（ステップＳ２４）。
【００２８】
図３に示すステップＳ２で次スロットは自局受信しないと判断された場合は、後述する周辺レベル測定処理がなされる（ステップＳ４）。
【００２９】
次にステップＳ５で、制御部２０は次スロットは自局受信するか否かを判断する。次スロットで自局受信する場合、ステップＳ６で前スロットは自局受信したか否か判断する。前スロットで自局受信している場合は、図４に示した受信アンテナ切替処理（１）を行う（ステップＳ７）。前スロットで自局受信していない場合は、ステップＳ８で受信アンテナ切替処理（２）を受信スロットの直前（前スロットの衝突制御ビットＥのタイミング）で行う。
【００３０】
図５は本実施形態における受信アンテナ切替処理（２）のフローチャートである。制御部２０は、受信スロットの直前（前スロットの衝突制御ビットＥのタイミング）のタイミングで、自局受信のチャンネルで各アンテナ１，２の受信レベルを順次測定し（ステップＳ３１）、受信レベルが高い方のアンテナを判定する（ステップＳ３２）。アンテナ１の方が受信レベルが高い場合は、自局受信スロットが始まるまでに受信アンテナをアンテナ１に切替える（ステップＳ３３）。アンテナ２の方が受信レベルが高い場合は、自局受信スロットが始まるまでに受信アンテナをアンテナ２に切替える（ステップＳ３４）。
【００３１】
図３に示すステップＳ５で次スロットは自局受信しないと判断された場合は、後述する周辺レベル測定処理がなされる（ステップＳ９）。
【００３２】
次にステップＳ１０で、制御部２０は前スロットは自局受信したか否か判断する。前スロットは自局受信した場合にはステップＳ１に戻る。前スロットは自局受信していない場合には、図５に示した受信アンテナ切替処理（２）を受信スロットの直前（前スロットの衝突制御ビットＥのタイミング）で行う（ステップＳ１１）。そして、ステップＳ１に戻る。
【００３３】
図６は本実施形態における周辺レベル測定処理のフローチャートである。最初に、次スロットは送信と同じタイミングであるか判断する（ステップＳ４１）。次スロットが送信と同タイミングでない場合（次の受信スロットが送信スロットと重ならない場合）、制御部２０は測定すべき周辺レベルのチャンネル数を各帯域毎に把握する（ステップＳ４２）。測定が完了していないチャンネル数が８００ＭＨｚ帯と１．５ＧＨｚ帯とで同数である場合、ステップＳ４３〜ステップＳ４６で、各帯域でそれぞれ１チャンネルずつ周辺レベルを測定する。具体的には、ステップＳ４３で８００ＭＨｚ帯の１チャンネル目の受信レベルを各アンテナでそれぞれ測定し、ステップＳ４４で８００ＭＨｚ帯の１チャンネル目の受信レベル（高い方のレベル）と受信レベルが高く測定された方のアンテナを制御部２０に記憶し、ステップＳ４５で１．５ＧＨｚ帯の１チャンネル目の受信レベルを各アンテナでそれぞれ測定し、ステップＳ４６で１．５ＧＨｚ帯の１チャンネル目の受信レベル（高い方のレベル）と受信レベルが高く測定された方のアンテナを制御部２０に記憶する。
【００３４】
ステップＳ４２で測定が完了していないチャンネル数が８００ＭＨｚ帯と１．５ＧＨｚ帯とで差があると判定された場合、ステップＳ４７で測定すべき残り周辺チャンネルの多い帯域がいずれであるか判断する。１．５ＧＨｚ帯の方が測定すべき残り周辺チャンネル数が多い場合は、ステップＳ４８〜Ｓ５１で、１．５ＧＨｚ帯で２チャンネル分の周辺レベルを測定する。具体的には、ステップＳ４８で１．５ＧＨｚ帯の１チャンネル目の受信レベルを各アンテナでそれぞれ測定し、ステップＳ４９で１．５ＧＨｚ帯の１チャンネル目の受信レベル（高い方のレベル）と受信レベルが高く測定された方のアンテナを制御部２０に記憶し、ステップＳ５０で１．５ＧＨｚ帯の２チャンネル目の受信レベルを各アンテナでそれぞれ測定し、ステップＳ５１で１．５ＧＨｚ帯の２チャンネル目の受信レベル（高い方のレベル）と受信レベルが高く測定された方のアンテナを制御部２０に記憶する。
【００３５】
ステップＳ４１で次スロットは送信タイミングと同じタイミングである（次の受信スロットが送信スロットと重なる）と判定された場合、及び、ステップＳ４７で８００Ｍｚ帯の方が測定すべき残り周辺チャンネル数が多いと判定された場合は、ステップＳ５２〜ステップＳ５５で、８００ＭＨｚ帯で２チャンネル分の周辺レベルを測定する。具体的には、ステップＳ５２で８００ＭＨｚ帯の１チャンネル目の受信レベルを各アンテナでそれぞれ測定し、ステップＳ５３で８００ＭＨｚ帯の１チャンネル目の受信レベル（高い方のレベル）と受信レベルが高く測定された方のアンテナを制御部２０に記憶し、ステップＳ５４で８００ＭＨｚ帯の２チャンネル目の受信レベルを各アンテナでそれぞれ測定し、ステップＳ５５で８００ＭＨｚ帯の２チャンネル目の受信レベル（高い方のレベル）と受信レベルが高く測定された方のアンテナを制御部２０に記憶する。
【００３６】
なお、図６は、パケットの送信が８００ＭＨｚ帯でなされることを前提とし場合を示している。送信スロットと受信スロットとが重なる場合は、送信帯域と同じ受信帯域でのみ周辺レベルの測定を行うこととしている。したがって、１．５ＧＨｚ帯でパケット送信がなされる場合は、１．５ＧＨｚ帯でのみ周辺レベルの測定を行うことになる。
【００３７】
図７は本実施形態におけるチャンネル移行時の使用アンテナ設定制御処理を示す図である。チャンネル移行時使用アンテナ設定制御手段２４は、自局の受信レベルを超える周辺ゾーンのチャンネルがあり（ステップＳ６１）、現在のチャンネルから新しいチャンネルへ移行するときは、周辺レベルを測定した時に記憶したアンテナを使用する（ステップＳ６２）。そして、図３に示した制御部の受信時の処理を再開する（ステップＳ６３）。
【００３８】
図８〜図１１は本実施形態の移動無線通信装置の動作を示すタイミングチャートである。図８（Ａ）〜図８（Ｃ）は受信スロットが１スロットの場合を示している。なお、図８〜図１１において、図８の下部に示すような（ｉ）のタイミングは、自局受信のためにアンテナ１と２で測定し、受信レベルが高い方のアンテナに切替える制御を示し、（ii）のタイミングは、周辺レベルをアンテナ１と２で測定するための制御（２チャンネル分）を示し、（iii）のタイミングは、１．５ＧＨｚ帯が測定できない場合の周辺レベル測定を示し、（iv）のタイミングはいずれの帯域でも測定可能な場合の周辺レベル測定を示している。
【００３９】
図８（Ａ）に示すように、送信スロットと同期ワードを受信するスロット（同期ワード受信スロット）がずれる場合（送信の後に同期ワードを受信する場合）は、同期ワードを受信するスロットの直前で、自局受信のためにアンテナ１とアンテナ２とで自局受信チャンネルの受信レベルを測定し、受信レベルが高い方のアンテナに切替える制御（受信アンテナダイバーシチ制御）を行う。そして、ここで選択したアンテナを送信に用いるアンテナとして設定する。また、同期ワード受信スロットが完了するタイミング、及び次の空きスロットが完了するタイミングにおいて周辺レベル測定を行う。すなわち、同期ワード受信スロットの次のスロット及びさらに次のスロット（受信を行わない２つのスロット）のそれぞれ先頭部分で、周辺レベルをアンテナ１とアンテナ２で測定するための制御（周辺レベルの測定）を２チャンネル分行う。送信と周辺レベル測定のタイミングが重ならない場合、周辺レベルの測定は、８００ＭＨｚ帯及び１．５ＧＨｚ帯のいずれも可能である。
【００４０】
図８（Ｂ）に示すように、送信スロットと同期ワード受信スロットが一致した場合は、同期ワード受信スロットの直前で、受信アンテナダイバーシチ制御を行う。そして、ここで選択したアンテナを送信に用いるアンテナとして設定する。また、受信を行わない２つのスロットのそれぞれ先頭部分で、周辺レベルの測定を２チャンネル分行う。ここで、送信と周辺レベル測定のタイミングが重なる場合、周辺レベルの測定は８００ＭＨｚ帯のみ可能である。送信と周辺レベル測定のタイミングが重ならない場合、周辺レベルの測定は８００ＭＨｚ帯及び１．５ＧＨｚ帯のいずれも可能である。
【００４１】
図８（Ｃ）に示すように、送信スロットと同期ワード受信スロットがずれた場合（同期ワード受信後に送信する場合）は、同期ワード受信スロットの直前で、受信アンテナダイバーシチ制御を行う。そして、ここで選択したアンテナを送信に用いるアンテナとして設定する。また、受信を行わない２つのスロットのそれぞれ先頭部分で、周辺レベルの測定を２チャンネル分行う。ここで、送信と周辺レベル測定のタイミングが重なる場合、周辺レベルの測定は８００ＭＨｚ帯のみ可能である。送信と周辺レベル測定のタイミングが重ならない場合、周辺レベルの測定は８００ＭＨｚ帯及び１．５ＧＨｚ帯のいずれも可能である。
【００４２】
図９（Ｄ）〜図９（Ｆ）は受信スロットが２スロットであり、同期ワードを受信する受信スロットとその次のスロットで受信する場合を示している。図９（Ｄ）に示すように、送信スロットと同期ワード受信スロットがずれる場合（送信の後に同期ワードを受信する場合）は、同期ワード受信スロットの直前のタイミングと同期ワード受信スロットの次のスロット（同期ワードの受信を必要としない受信スロット）における同期ワードのタイミングとの２箇所で、受信アンテナダイバーシチ制御を行う。そして、送信スロットの直前で選択されたアンテナを送信に用いるアンテナとして設定する。また、受信を行わないスロットの先頭部分で、周辺レベルの測定を２チャンネル分行う。送信と周辺レベル測定のタイミングが重ならないので、周辺レベルの測定は８００ＭＨｚ帯及び１．５ＧＨｚ帯のいずれも可能である。
【００４３】
図９（Ｅ）に示すように、送信スロットと同期ワード受信スロットが一致した場合は、同期ワード受信スロットの直前のタイミングと同期ワード受信スロットの次のスロット（同期ワードの受信を必要としない受信スロット）における同期ワードのタイミングとの２箇所で、受信アンテナダイバーシチ制御を行う。そして、送信スロットの直前で選択されたアンテナを送信に用いるアンテナとして設定する。また、受信を行わないスロットの先頭部分で周辺レベルの測定を２チャンネル分行う。送信と周辺レベル測定のタイミングが重ならないので、周辺レベルの測定は８００ＭＨｚ帯及び１．５ＧＨｚ帯のいずれも可能である。
【００４４】
図９（Ｆ）に示すように、送信スロットと同期ワード受信スロットがずれる場合（同期ワード受信スロットの後に送信する場合）は、同期ワード受信スロットの直前のタイミングと同期ワード受信スロットの次のスロット（同期ワードの受信を必要としない受信スロット）における同期ワードのタイミングとの２箇所で、受信アンテナダイバーシチ制御を行う。そして、送信スロットの直前で選択されたアンテナを送信に用いるアンテナとして設定する。また、受信を行わないスロットの先頭部分で周辺レベルの測定を２チャンネル分行う。送信と周辺レベル測定のタイミングが重なるので、周辺レベルの測定は８００ＭＨｚ帯のみ可能である。
【００４５】
図１０（Ｇ）〜図１０（Ｉ）は受信スロットが２スロットであり、同期ワードを受信する受信スロットとその前のスロットで受信する場合を示している。図１０（Ｇ）に示すように、送信スロットと同期ワード受信スロットがずれる場合（送信の後に同期ワードを受信する場合）は、同期ワードの受信を必要としない受信スロットにおける同期ワードのタイミングと同期ワードの受信を必要としない受信スロットの直前のタイミングとの２箇所で、受信アンテナダイバーシチ制御を行う。そして、送信スロットの直前に選択されたアンテナを送信に用いるアンテナとして設定する。また、受信を行わないスロットの先頭部分で、周辺レベルの測定を２チャンネル分行う。送信と周辺レベル測定のタイミングが重ならないので、周辺レベルの測定は８００ＭＨｚ帯及び１．５ＧＨｚ帯のいずれも可能である。
【００４６】
図１０（Ｈ）に示すように、送信スロットと同期ワード受信スロットが一致した場合は、同期ワードの受信を必要としない受信スロットにおける同期ワードのタイミングと同期ワードの受信を必要としない受信スロットの直前のタイミングとの２箇所で、受信アンテナダイバーシチ制御を行う。そして、送信スロットの直前に選択されたアンテナを送信に用いるアンテナとして設定する。また、受信を行わないスロットの先頭部分で、周辺レベルの測定を２チャンネル分行う。送信と周辺レベル測定のタイミングが重なるので、周辺レベルの測定は８００ＭＨｚ帯のみ可能である。
【００４７】
図１０（Ｉ）に示すように、送信スロットと同期ワード受信スロットがずれる場合（同期ワード受信スロットの後に送信する場合）は、同期ワードの受信を必要としない受信スロットにおける同期ワードのタイミングと同期ワードの受信を必要としない受信スロットの直前のタイミングとの２箇所で、受信アンテナダイバーシチ制御を行う。そして、送信スロットの直前で選択されたアンテナを送信に用いるアンテナとして設定する。また、受信を行わないスロットの先頭部分で周辺レベルの測定を２チャンネル分行う。送信と周辺レベル測定のタイミングが重ならないので、周辺レベルの測定は８００ＭＨｚ帯及び１．５ＧＨｚ帯のいずれも可能である。
【００４８】
図１１（Ｊ）〜図１１（Ｌ）は受信スロットが３スロットである場合を示している。図１１（Ｊ）に示すように、送信スロットと同期ワード受信スロットがずれる場合（送信の後に同期ワードを受信する場合）は、同期ワードの受信を必要としない２つの受信スロットにおける同期ワードのタイミングで、受信アンテナダイバーシチ制御をそれぞれ行う。そして、送信スロットの直前に選択されたアンテナを送信に用いるアンテナとして設定する。３スロット連続受信であるので、周辺レベルの測定は行われない。
【００４９】
図１１（Ｋ）に示すように、送信スロットと同期ワード受信スロットが一致した場合、及び、図１１（Ｌ）に示すように、送信スロットと同期ワード受信スロットがずれる場合（同期ワード受信スロットの後に送信する場合）は、図１１（Ｊ）に示したものと同様に、同期ワードの受信を必要としない２つの受信スロットにおける同期ワードのタイミングで、受信アンテナダイバーシチ制御をそれぞれ行う。そして、送信スロットの直前に選択されたアンテナを送信に用いるアンテナとして設定する。３スロット連続受信であるので、周辺レベルの測定は行われない。
【００５０】
上述したように、本実施形態では、周辺レベル測定時にアンテナ切替えを行うことにより、より適切なアンテナによって周辺レベルの測定を行うことができる。また、受信ダイバーシチ制御によって選択されたアンテナを次の送信スロットで送信用のアンテナとして用いるようにしているので、送信に用いるアンテナを的確に切替えることができ、１フレーム内で適切な送信用アンテナを選択できる。さらに、周辺レベル測定時にレベルの高かったアンテナをより最適なアンテナとして記憶し、チャンネル移行時には記憶しておいたアンテナを用いるようにしたので、チャンネル移行時にそのチャンネルにおいて受信レベルの高い方のアンテナを使用することができる。
【００５１】
また、非対称パケット通信時に、送信タイミングと周辺レベルの測定タイミングが重なる場合は送信を行っている帯域（上記実施形態では８００ＭＨｚ帯）のみで周辺レベル測定を行い、タイミングが重ならない場合は各帯域（上記実施形態では８００ＭＨｚ帯と１．５ＧＨｚ帯）で周辺レベル測定を行い、この際に各帯域における周辺レベル測定が完了していないチャンネル数や、複数のスロットを連続して受信するか否かなどに基づいて、周辺レベル測定を行うタイミング及び周辺レベル測定を行う帯域を動的に制御するようにしている。これにより、周辺レベルの測定を効果的に行うことができ、また、各帯域の周辺レベル測定が完了するタイミングに大きなずれが生じないようにすることができる。
【００５２】
また、受信スロットの次のスロットが空きスロットの場合に、受信スロットの次の空きスロット（受信スロットが完了して次の空きスロットとなるタイミング）において周辺レベル測定を行い、さらにこの空きスロットの次のスロットが空きスロットの場合に、この空きスロットの次の空きスロット（空きスロットが完了して次の空きスロットとなるタイミング）において周辺レベル測定を行うようにしている。これにより、時間を空けて複数のタイミングで周辺レベル測定を行うことができ、時間ダイバーシチの効果が得られるため、より精度の高い周辺レベルの測定が可能である。
【産業上の利用可能性】
【００５３】
本発明は、チャンネル移行時などにも最適なアンテナを設定することができ、また、複数帯域において周辺レベル測定を行う際に各帯域の周辺レベル測定が完了するタイミングに大きなずれが生ずることを防止できる効果を有する。本発明は、時分割多元接続（ＴＤＭＡ）方式を採用し、複数帯域において送受信可能なマルチバンド対応のものであって、非対称パケット通信が可能な携帯電話機等の移動無線通信装置等に有用である。
【図面の簡単な説明】
【００５４】
【図１】本発明の実施形態に係る移動無線通信装置の要部構成を示す図
【図２】本実施形態で用いる無線通信における受信フレームの構成及び受信スロットの構成を示す図
【図３】本実施形態における制御部の受信時の処理の概要を示すフローチャート
【図４】本実施形態における受信アンテナ切替処理（１）のフローチャート
【図５】本実施形態における受信アンテナ切替処理（２）のフローチャート
【図６】本実施形態における周辺レベル測定処理のフローチャート
【図７】本実施形態におけるチャンネル移行時の使用アンテナ設定制御処理を示す図
【図８】本実施形態の移動無線通信装置の動作を示すタイミングチャート（その１）であり、図８（Ａ）〜図８（Ｃ）は受信スロットが１スロットの場合の動作を示す図
【図９】本実施形態の移動無線通信装置の動作を示すタイミングチャート（その２）であり、図９（Ｄ）〜図９（Ｆ）は受信スロットが２スロットであり、同期ワードを受信する受信スロットとその次のスロットで受信する場合の動作を示す図
【図１０】本実施形態の移動無線通信装置の動作を示すタイミングチャート（その３）であり、図１０（Ｇ）〜図１０（Ｉ）は受信スロットが２スロットであり、同期ワードを受信する受信スロットとその前のスロットで受信する場合の動作を示す図
【図１１】本実施形態の移動無線通信装置の動作を示すタイミングチャート（その４）であり、図１１（Ｊ）〜図１１（Ｌ）は受信スロットが３スロットである場合動作を示す図
【符号の説明】
【００５５】
１  第１のアンテナ
２  第２のアンテナ
３  送信アンテナ切替部
４  受信アンテナ切替部
５  送信帯域切替部
６  受信帯域切替部
７  ８００ＭＨｚ帯送信部
８  １．５ＧＨｚ帯送信部
９  ８００ＭＨｚ帯受信部
１０  １．５ＧＨｚ帯受信部
１１  変調部
１２  復調部
１３  Ａ／Ｄ変換部
２０  制御部
２１  受信アンテナ選択制御手段
２２  送信アンテナ選択制御手段
２３  周辺レベル測定制御手段
２４  チャンネル移行時使用アンテナ設定制御手段
【図１】
2006165669.tif 000003
【図２】
2006165669.tif 000004
【図３】
2006165669.tif 000005
【図４】
2006165669.tif 000006
【図５】
2006165669.tif 000007
【図６】
2006165669.tif 000008
【図７】
2006165669.tif 000009
【図８】
2006165669.tif 000010
【図９】
2006165669.tif 000011
【図１０】
2006165669.tif 000012
【図１１】
2006165669.tif 000013